(57)【要約】【課題】無線装置を内蔵した電子機器の小型化が進展しているが、これらの電子機器間における無線接続を簡潔かつ確実に行うことができなかった。【解決手段】電子機器３１および電子機器３２を含む、所定の短距離無線接続が可能な複数の無線装置と、所定の短距離無線接続が可能な複数の無線装置の識別情報を表示するための出力デバイス、および所定の短距離無線接続が可能な複数の無線装置の内、所定の短距離無線接続が実行される無線装置を、表示された識別情報に基づいて特定するための入力用キーボードを有する電子機器３３とを備え、電子機器３３によって、特定された所定の短距離無線接続が実行される無線装置の全部または一部に対し、所定の短距離無線接続の実行のための通知が行われる無線システムである。【選択図】図３
2006230010.tif 000002
【特許請求の範囲】
【請求項１】
第一の無線装置および第二の無線装置を含む、所定の短距離無線接続が可能な複数の無線装置と、
前記所定の短距離無線接続が可能な複数の無線装置の識別情報を表示するための表示手段、および前記所定の短距離無線接続が可能な複数の無線装置の内、前記所定の短距離無線接続が実行される無線装置を、前記表示された識別情報に基づいて特定するための特定手段を有する第三の無線装置とを備え、
前記第三の無線装置によって、前記特定された所定の短距離無線接続が実行される無線装置の全部または一部に対し、前記所定の短距離無線接続の実行のための通知が行われる無線システム。
【請求項２】
前記所定の短距離無線接続が実行される無線装置とは、ホストとなるべき無線装置とターゲットとなるべき無線装置であり、
前記第一の無線装置は、前記ターゲットとなるべき無線装置であり、
前記第二の無線装置は、前記ホストとなるべき無線装置であり、
前記識別情報は、少なくともアドレス情報を有しており、
前記所定の短距離無線接続の実行のための通知とは、前記ホストとなるべき無線装置に対しての、前記第三の無線装置から前記ホストとなるべき無線装置への前記所定の短距離無線接続を利用する、前記ターゲットとなるべき無線装置のアドレス情報の通知である請求項１記載の無線システム。
【請求項３】
前記ターゲットとなるべき無線装置のアドレス情報は、前記第三の無線装置から前記ターゲットとなるべき無線装置への前記所定の短距離無線接続を利用して入手される請求項２記載の無線システム。
【請求項４】
前記ターゲットとなるべき無線装置のアドレス情報の通知が行われた後に、前記第三の無線装置と前記ホストとなるべき無線装置との間において、主従関係を逆転させるためのスイッチロールが行われる請求項３記載の無線システム。
【請求項５】
第一の無線装置および第二の無線装置を含む、所定の短距離無線接続が可能な複数の無線装置の識別情報を表示するための表示手段と、
前記所定の短距離無線接続が可能な複数の無線装置の内、前記所定の短距離無線接続が実行される無線装置を、前記表示された識別情報に基づいて特定するための特定手段とを備え、
前記特定された所定の短距離無線接続が実行される無線装置の全部または一部に対し、前記所定の短距離無線接続の実行のための通知を行う無線装置。
【請求項６】
第一の無線装置および自らを含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するための識別情報入力手段を備えた無線装置。
【請求項７】
第二の無線装置および自らを含む、所定の短距離無線接続が可能な複数の無線装置の全部または一部に前記所定の短距離無線接続を実行させるための第三の無線装置に、自らの識別情報を出力するための識別情報出力手段を備えた無線装置。
【請求項８】
第一の無線装置および第二の無線装置を含む、所定の短距離無線接続が可能な複数の無線装置の識別情報を表示する第一のステップと、
前記所定の短距離無線接続が可能な複数の無線装置の内、前記所定の短距離無線接続が実行される無線装置を、前記表示された識別情報に基づいて特定する第二のステップと、
前記特定された所定の短距離無線接続が実行される無線装置の全部または一部に対し、前記所定の短距離無線接続の実行のための通知を行う第三のステップとを備えた無線接続方法。
【請求項９】
第一の無線装置および第二の無線装置を含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するステップを備えた無線接続方法。
【請求項１０】
第一の無線装置および第二の無線装置を含む、所定の短距離無線接続が可能な複数の無線装置の全部または一部に前記所定の短距離無線接続を実行させるための第三の無線装置に、自らの識別情報を出力するステップを備えた無線接続方法。
【請求項１１】
請求項８記載の無線接続方法の、第一の無線装置および第二の無線装置を含む、所定の短距離無線接続が可能な複数の無線装置の識別情報を表示する第一のステップと、前記所定の短距離無線接続が可能な複数の無線装置の内、前記所定の短距離無線接続が実行される無線装置を、前記表示された識別情報に基づいて特定する第二のステップと、前記特定された所定の短距離無線接続が実行される無線装置の全部または一部に対し、前記所定の短距離無線接続の実行のための通知を行う第三のステップとをコンピュータに実行させるためのプログラム。
【請求項１２】
請求項９記載の無線接続方法の、第一の無線装置および第二の無線装置を含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するステップをコンピュータに実行させるためのプログラム。
【請求項１３】
請求項１０記載の無線接続方法の、第一の無線装置および第二の無線装置を含む、所定の短距離無線接続が可能な複数の無線装置の全部または一部に前記所定の短距離無線接続を実行させるための第三の無線装置に、自らの識別情報を出力するステップをコンピュータに実行させるためのプログラム。
【請求項１４】
請求項１１から１３の何れかに記載のプログラムを記録した記録媒体であって、コンピュータにより処理可能な記録媒体。
【発明の詳細な説明】
【技術分野】
【０００１】
本発明は、たとえば、接続ケーブルに代わる低電力高周波による無線接続を行うための無線システム、無線装置、無線接続方法、プログラム、および記録媒体に関するものである。
【背景技術】
【０００２】
近年における技術の進歩は著しく、特に電子機器は小型化の一途を辿り、手軽に持ち運びできるものが多くなってきた。その１つの例として携帯電話などが挙げられる。さらに携帯電話などの移動通信に特化したニーズは年々高まる一方で、接続ケーブルの煩わしさから、異なるタイプの低消費電力、短距離および無線データリンクが開発された。
【０００３】
その代表が、Ｂｌｕｅｔｏｏｔｈである。
【０００４】
Ｂｌｕｅｔｏｏｔｈは、免許不要の２．４ＧＨｚ帯を搬送波周波数に使う無線インタフェースである。世界各国の企業がＢｌｕｅｔｏｏｔｈ  ＳＩＧ（Ｓｐｅｃｉａｌ  Ｉｎｔｅｒｅｓｔ  Ｇｒｏｕｐ）に参加しており、世界各国のどの製品同士でも無線接続ができると謳われている。また、Ｂｌｕｅｔｏｏｔｈの魅力は、安価で小型、そして省電力なモジュールにある。
【０００５】
このことから、これらハードウェア及び通信プロトコルを含む無線装置は、携帯電話はもちろんのこと、ノート型パソコン、ＰＤＡ（パーソナル・デジタル・アシスタンツ）に代表される小型情報機器など、あらゆる分野の電子機器に利用可能である。
【０００６】
ここで、Ｂｌｕｅｔｏｏｔｈを利用する従来の無線接続動作について説明する。
【０００７】
共に無線装置を内蔵している２つの電子機器が初めて無線接続を行う場合、ホストとなる電子機器は、ターゲットとなる電子機器を特定するために、入力デバイスからソフトウェア部に対して、ターゲットの確認命令コマンドを発行する。
【０００８】
それを受け取ったソフトウェア部は、無線ハードウェア部を制御して、無線接続可能な電子機器が存在するかどうかを確認するための無線電波を飛ばす。
【０００９】
接続可能なエリア内にある電子機器は、その無線電波を受け取ると、自分のデバイスアドレスなどのユニークな情報をホストに対して返す。
【００１０】
そして、それを受け取ったホスト側の無線ハードウェア部は、ソフトウェア部に対して情報伝達をする。また、無線接続が可能な電子機器の情報は、ソフトウェア部において何らかのソートによるデータベース化がなされる。
【００１１】
次に、液晶モニタなどの出力デバイスを利用することにより、接続可能な電子機器の中にターゲットとなる所望の電子機器が存在することがユーザによって確認され、所望の電子機器のデバイスアドレスなどの情報がユーザによって指示されれば、指示された情報を元に無線接続を行うことができる。
【発明の開示】
【発明が解決しようとする課題】
【００１２】
ところで、上述したように、これらハードウェア及び通信プロトコルを含む無線装置は、あらゆる分野の電子機器に利用可能である。そこで、本発明者は、たとえば、ホストとなる電子機器がワイヤレスヘッドフォンであり、ターゲットとなる電子機器がポータブルＭＤプレーヤであるような具体例への利用を検討している。
【００１３】
しかしながら、小型化の一途を辿るこのような電子機器に、前述のような液晶モニタが必ず搭載されているとは限らない。たとえば、ワイヤレスヘッドフォンへの液晶モニタの搭載などは、通常考えられない。
【００１４】
よって、電子機器同士の制御状態などを確認し、確かな無線接続を行うことには困難をともない、これら無線データリンクを用いた製品群は、いまだ世の中のごく一部に限られており、ハードウェアの小型化やモジュール単価の低価格化など、その市場性と共に発展途上にあるといえる。このため、無線装置を内蔵した電子機器の小型化に伴い、無線装置を制御するためのボタンなどの入力デバイスや、制御状態などを確認するためのディスプレイなどの簡略化など、簡素な制御デバイスによる確かな無線接続が望まれている。
【００１５】
本発明は、たとえば上記従来のこのような課題を考慮し、電子機器間における無線接続を簡潔かつ確実に行うことができる無線システム、無線装置、無線接続方法、プログラム、および記録媒体を提供することを目的とする。
【課題を解決するための手段】
【００１６】
第１の本発明は、第一の無線装置および第二の無線装置を含む、所定の短距離無線接続が可能な複数の無線装置と、
前記所定の短距離無線接続が可能な複数の無線装置の識別情報を表示するための表示手段、および前記所定の短距離無線接続が可能な複数の無線装置の内、前記所定の短距離無線接続が実行される無線装置を、前記表示された識別情報に基づいて特定するための特定手段を有する第三の無線装置とを備え、
前記第三の無線装置によって、前記特定された所定の短距離無線接続が実行される無線装置の全部または一部に対し、前記所定の短距離無線接続の実行のための通知が行われる無線システムである。
【００１７】
第２の本発明は、前記所定の短距離無線接続が実行される無線装置とは、ホストとなるべき無線装置とターゲットとなるべき無線装置であり、
前記第一の無線装置は、前記ターゲットとなるべき無線装置であり、
前記第二の無線装置は、前記ホストとなるべき無線装置であり、
前記識別情報は、少なくともアドレス情報を有しており、
前記所定の短距離無線接続の実行のための通知とは、前記ホストとなるべき無線装置に対しての、前記第三の無線装置から前記ホストとなるべき無線装置への前記所定の短距離無線接続を利用する、前記ターゲットとなるべき無線装置のアドレス情報の通知である第１の本発明の無線システムである。
【００１８】
第３の本発明は、前記ターゲットとなるべき無線装置のアドレス情報は、前記第三の無線装置から前記ターゲットとなるべき無線装置への前記所定の短距離無線接続を利用して入手される第２の本発明の無線システムである。
【００１９】
第４の本発明は、前記ターゲットとなるべき無線装置のアドレス情報の通知が行われた後に、前記第三の無線装置と前記ホストとなるべき無線装置との間において、主従関係を逆転させるためのスイッチロールが行われる第３の本発明の無線システムである。
【００２０】
第５の本発明は、第一の無線装置および第二の無線装置を含む、所定の短距離無線接続が可能な複数の無線装置の識別情報を表示するための表示手段と、
前記所定の短距離無線接続が可能な複数の無線装置の内、前記所定の短距離無線接続が実行される無線装置を、前記表示された識別情報に基づいて特定するための特定手段とを備え、
前記特定された所定の短距離無線接続が実行される無線装置の全部または一部に対し、前記所定の短距離無線接続の実行のための通知を行う無線装置である。
【００２１】
第６の本発明は、第一の無線装置および自らを含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するための識別情報入力手段を備えた無線装置である。
【００２２】
第７の本発明は、第二の無線装置および自らを含む、所定の短距離無線接続が可能な複数の無線装置の全部または一部に前記所定の短距離無線接続を実行させるための第三の無線装置に、自らの識別情報を出力するための識別情報出力手段を備えた無線装置である。
【００２３】
第８の本発明は、第一の無線装置および第二の無線装置を含む、所定の短距離無線接続が可能な複数の無線装置の識別情報を表示する第一のステップと、
前記所定の短距離無線接続が可能な複数の無線装置の内、前記所定の短距離無線接続が実行される無線装置を、前記表示された識別情報に基づいて特定する第二のステップと、
前記特定された所定の短距離無線接続が実行される無線装置の全部または一部に対し、前記所定の短距離無線接続の実行のための通知を行う第三のステップとを備えた無線接続方法である。
【００２４】
第９の本発明は、第一の無線装置および第二の無線装置を含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するステップを備えた無線接続方法である。
【００２５】
第１０の本発明は、第一の無線装置および第二の無線装置を含む、所定の短距離無線接続が可能な複数の無線装置の全部または一部に前記所定の短距離無線接続を実行させるための第三の無線装置に、自らの識別情報を出力するステップを備えた無線接続方法である。
【００２６】
第１１の本発明は、第８の本発明の無線接続方法の、第一の無線装置および第二の無線装置を含む、所定の短距離無線接続が可能な複数の無線装置の識別情報を表示する第一のステップと、前記所定の短距離無線接続が可能な複数の無線装置の内、前記所定の短距離無線接続が実行される無線装置を、前記表示された識別情報に基づいて特定する第二のステップと、前記特定された所定の短距離無線接続が実行される無線装置の全部または一部に対し、前記所定の短距離無線接続の実行のための通知を行う第三のステップとをコンピュータに実行させるためのプログラムである。
【００２７】
第１２の本発明は、第９の本発明の無線接続方法の、第一の無線装置および第二の無線装置を含む、所定の短距離無線接続が可能な複数の無線装置の全部または一部に前記所定の短距離無線接続を実行させるための第三の無線装置から、前記所定の短距離無線接続の実行の対象となる無線装置の識別情報を入力するステップをコンピュータに実行させるためのプログラムである。
【００２８】
第１３の本発明は、第１０の本発明の無線接続方法の、第一の無線装置および第二の無線装置を含む、所定の短距離無線接続が可能な複数の無線装置の全部または一部に前記所定の短距離無線接続を実行させるための第三の無線装置に、自らの識別情報を出力するステップをコンピュータに実行させるためのプログラムである。
【００２９】
第１４の本発明は、第１１から第１３の何れかの本発明のプログラムを記録した記録媒体であって、コンピュータにより処理可能な記録媒体である。
【発明の効果】
【００３０】
以上の説明から明らかなように、本発明は、電子機器間における無線接続を簡潔かつ確実に行うことができるという長所を有する。
【発明を実施するための最良の形態】
【００３１】
以下では、本発明および本発明に関連する発明にかかる実施の形態について、図面を参照しつつ説明を行う。
【００３２】
（実施の形態１）
はじめに、本実施の形態１の無線装置の構成図である図１を参照しながら、本実施の形態の無線装置の構成について説明する。
【００３３】
図１において、１６はアンテナなどを含む無線電波送受信を行う無線ハードウェア部を、１４は無線ハードウェア部１６を制御するソフトウェア部を示し、その間のインタフェースとして、ハードウェア制御インタフェース（ＨＣＩ）１５がある。また、ソフトウェア部１４は、マン＝マシンインタフェース（ＭＭＩ））１３を介して、ボタンなどの入力デバイス１１、および発光ダイオード（ＬＥＤ）などの出力デバイス１２に繋がっている。ここに、本実施の形態の無線装置は、液晶モニタなどの出力デバイスを有しない、極めて小型の無線装置である。
【００３４】
なお、入力デバイス１１は本発明に関連する発明の状態変化コマンド発信手段に対応し、出力デバイス１２は本発明に関連する発明の状態変化コマンド外部出力手段に対応する。また、発光ダイオードを利用して行われる発光は、本発明に関連する発明の状態変化の外部への出力に対応する（なお、本実施の形態の状態変化コマンドは、Ｂｌｕｅｔｏｏｔｈ規格に新たなコマンドを拡張実装して実現されるものである）。
【００３５】
つぎに、本実施の形態の無線装置の動作について、ソフトウェア部１４の無線接続動作を説明するための模式図である図２を参照しながら説明する。なお、本実施の形態の無線装置の動作について説明しながら、本発明に関連する発明の無線接続方法の一実施の形態についても説明する。
【００３６】
ホストとなる無線装置とターゲットとなる無線装置との間で無線接続を行う際、ホストが接続可能な電子機器の情報を取得してそれらをデータベース化する手順は、上述の手順と同様である。
【００３７】
ただし、前述したように、本実施の形態の無線装置には、接続可能な電子機器の中からターゲットとなる電子機器を指示するための液晶モニタが存在しない。
【００３８】
そこで、ソフトウェア部１４（図１参照）は、接続機器データベース２３から、デバイスアドレス選択手段２２によって選択された電子機器のデバイスアドレスを認識する。ここに、デバイスアドレス選択手段２２は、ボタンなどの押し下げごとの、入力デバイス１１からの信号２１に連動して、つぎつぎに選択先を変えるための手段である。
【００３９】
続いて、ソフトウェア部１４は、選択されたデバイスアドレスを元に、確認要求のための信号２４をＨＣＩ１５に対して送る。これにより、デバイスアドレスで指定された電子機器に対して、無線ハードウェア部１６（図１参照）から無線電波が送信される。そして、無線電波を受け取った電子機器は、ＬＥＤなどの出力デバイスに状態変化をさせる。
【００４０】
このとき、状態変化を起こしたＬＥＤが、（１）ターゲットとなる電子機器のＬＥＤであれば、所望の無線接続が行われたことになるが、（２）そうでなければ、前述のボタンなどの押し下げを繰り返すことにより、ターゲットとなる電子機器のＬＥＤが状態変化を起こすまで、接続機器データベース２３の選択先を変えていくことになる。
【００４１】
このようにして、目視によるターゲットへの無線接続の確認が、可能となる（出力デバイスによる出力を音声にすることで、聴音による確認も可能である）。
【００４２】
ただし、この時点において、ホストと、デバイスアドレスで指定されたターゲットとなる電子機器との間には、厳密な無線データリンクはまだ構築されていない。厳密な無線データリンクは、ホストとなる電子機器とターゲットとなる電子機器との間で、Ｂｌｕｅｔｏｏｔｈによる相互の情報の送受信を行う際に、構築されればよい。
【００４３】
ここで、本発明に関連する発明の実施の形態１における無線接続動作を説明するための説明図である図７を参照して、ホストとなるべき無線装置Ａとスレーブとなるべき無線装置Ｂとの間に無線データリンクを構築する際の流れについてより分かりやすく説明すると、つぎのようになる。
【００４４】
ステップ１；無線装置Ａは、デバイス探索を行って、無線装置Ｂを含む不特定デバイスに対して応答を返すよう指示する。
【００４５】
ステップ２；無線装置Ｂを含む不特定デバイスの内、発見されたデバイスは返信を行って呼応し、自らのアドレス情報などを通知する。
【００４６】
ステップ３；無線装置Ａは、接続を行う前に発見されたデバイスに対して接続相手を確認するためのコマンドをつぎつぎと発行し、無線装置Ｂの状態変化を確認したユーザの指示に応じて無線装置Ｂを接続相手として確定する（本実施の形態の特徴はこの点にある）。
【００４７】
ステップ４〜５；無線装置Ａは、前述のようにして通知されている無線装置Ｂのアドレス情報などを利用して無線装置Ｂに対して接続要求し、周波数ホッピングをともなう無線接続のための同期（クロック）合わせを行う。かくして、無線装置Ａと無線装置Ｂとの間での無線接続が、完了する。
【００４８】
なお、デバイスアドレスで指定された電子機器と、一旦データリンクを構築してから、上述のようにターゲットを確認する方法もある。また、同様に、もう１つの実現方法として、ホストが接続可能な電子機器すべてと、一旦無線データリンクを構築し、その後、デバイスアドレスを１つずつ選択してターゲットを確認し、不要な無線データリンクを解除する方法もある。
【００４９】
また、本発明に関連する発明の状態変化コマンドは、上述された本実施の形態では、無線ハードウェア部１６から無線電波として発信されたが、これに限らず、要するに、本発明に関連する発明の第一の無線装置の内の全部または一部に対して、状態変化を生じさせるための所定の信号であればよい。
【００５０】
また、本発明に関連する発明の状態変化は、上述された本実施の形態では、発光ダイオード（ＬＥＤ）などの出力デバイス１２からの発光であった。しかし、これに限らず、本発明に関連する発明の状態変化は、発光、音、および振動などの内の全部または一部を利用して行われるものであってもよく、要するに、状態変化コマンドの受信を行った本発明に関連する発明の第一の無線装置から外部に出力されるものであればよい。
【００５１】
以上のように本実施の形態によれば、無線装置を内蔵している電子機器において、少なくとも１つの入力デバイスと、ＬＥＤや音源などの出力デバイスとを有することで、ホストとなる電子機器が、ターゲットとなる電子機器を確実に特定し、無線接続を行うことができる。
【００５２】
（実施の形態２）
つぎに、本実施の形態における無線接続動作を説明するための模式図である図３を参照しながら、無線装置を利用した電子機器３１〜３３の構成について説明する。
【００５３】
図３において、３１、３２は、無線装置を内蔵した電子機器を示し、共に液晶モニタ等の高性能出力デバイスを持たないものである。３３は、同じく無線機器を内蔵した電子機器であるが、液晶モニタ等の、デバイスアドレスなどのデバイス固有情報を表示するための出力デバイス、およびデバイスを特定するための入力用キーボード（図示省略）を持つ。もちろん、電子機器３１〜３３は、前述の本実施の形態１における電子機器と同様に、後に詳述されるような無線データリンクを構築するための無線ハードウェア部、ソフトウェア部（図示省略）を有している。
【００５４】
なお、矢印線は無線データリンクを表し、これらの電子機器同士は、矢印の向きにしたがってホスト、ターゲットの関係を有している。
【００５５】
なお、電子機器３３の出力デバイスは本発明の表示手段に対応し、電子機器３３の入力用キーボードは本発明の特定手段に対応する。また、電子機器３１の無線ハードウェア部、ソフトウェア部を含む手段は、本発明の識別情報入力手段に対応し、電子機器３２の無線ハードウェア部、ソフトウェア部を含む手段は、本発明の識別情報出力手段に対応する。
【００５６】
つぎに、無線装置を利用した電子機器３１〜３３の動作について説明する。なお、電子機器３１〜３３の動作について説明しながら、本発明の無線接続方法の一実施の形態についても説明する。
【００５７】
電子機器３１をホストとし、ターゲットを電子機器３２とする無線接続を行う場合、まず、液晶モニタ等の出力デバイスを持つ電子機器３３が、一旦ホストとなって、電子機器３１、３２との間に無線データリンクＡをそれぞれ構築する。
【００５８】
電子機器３３は、電子機器３１および３２から取得したデバイスアドレスなどの無線接続に必要な情報を、電子機器３１に通知する。そして、今度は、電子機器３１がホストとなり、ターゲットを電子機器３２とする無線接続を行い、無線データリンクＢを構築する。
【００５９】
その後、電子機器３３をホストとする無線データリンクＡを両方とも解除し、電子機器３１と３２との間の無線接続を完了させる。
【００６０】
このように、本実施の形態は、電子機器３１、３２との間にマスター、スレーブという主従関係を確立させなければならないという条件を満たしながら電子機器３３を介入させるという点で、Ｅｔｈｅｒｎｅｔ（登録商標）におけるｓｎｉｆｆｅｒ等のスヌープ、接続状況確認とは全く異なっている。
【００６１】
ここで、本発明の実施の形態２における無線接続動作を説明するための説明図である図８を参照して、ホストとなるべき無線装置Ａとスレーブとなるべき無線装置Ｂとの間に無線データリンクを構築する際の流れについてより分かりやすく説明すると、つぎのようになる。
【００６２】
ステップ１〜２；第３のデバイスである無線装置Ｃは、接続したいデバイス同士である無線装置Ａ、Ｂとの間にそれぞれ無線接続を構築する。そして、無線装置Ｃは、それらの無線接続を利用して、スレーブとなるべき無線装置Ｂのアドレス情報などを取得し、その取得した無線装置Ｂのアドレス情報をホストとなるべき無線装置Ａに通知する（本実施の形態の特徴はこの点にある）。なお、無線装置Ｃと無線装置Ａ、無線装置Ｃと無線装置Ｂとの間にそれぞれ構築された無線接続は、このような情報仲介さえ完了してしまえば、任意のタイミングで切断してもよい。
【００６３】
ステップ３〜４；無線装置Ａは、通知された無線装置Ｂのアドレス情報を利用して無線装置Ｂに対して接続要求し、無線接続のための同期（クロック）合わせを行う。かくして、無線装置Ａと無線装置Ｂとの間での無線接続が、完了する。
【００６４】
なお、同様に、電子機器３１をホストとしターゲットを電子機器３２とする無線接続を行う類似の方法として、つぎのような方法も考えられる。すなわち、（１）電子機器３３が、一旦ホストとなって、電子機器３１、３２との間に前述のような無線データリンクＡをそれぞれ構築し、（２）電子機器３１が、電子機器３３と主従関係を反転（スイッチロール）させてホストとなり、スイッチロールを利用する無線接続動作を説明するための模式図である図４に示すように、電子機器３２、３３との間の無線データリンクＡ’をそれぞれ再構築し、（３）電子機器３１が、電子機器３３との間の無線データリンクを解除することにより、電子機器３２との間の無線接続を完了させる。ここでは、電子機器３３から電子機器３１への、電子機器３２のデバイスアドレスの通知は、スイッチロールに先立って行われる。かくして、電子機器３１と電子機器３２との間で、Ｂｌｕｅｔｏｏｔｈによる相互の情報の送受信が可能となる。
【００６５】
ここで、本発明の、スイッチロールを利用する無線接続動作を説明するための説明図である図９を参照して、スイッチロールを利用してホストとなるべき無線装置Ａとスレーブとなるべき無線装置Ｂとの間に無線データリンクを構築する際の流れについてより具体的に説明すると、つぎのようになる。
【００６６】
ステップ１〜２；第３のデバイスである無線装置Ｃは、無線装置Ａ、Ｂとの間にそれぞれ無線接続を構築する。そして、無線装置Ｃは、それらの無線接続を利用して、スレーブとなるべき無線装置Ｂのアドレス情報などを取得し、その取得した無線装置Ｂのアドレス情報をホストとなるべき無線装置Ａに通知する。
【００６７】
ステップ３；無線装置Ａは、通知された無線装置Ｂのアドレス情報を利用して無線装置Ｂに対して接続要求し、無線接続のための同期（クロック）合わせを行い、無線装置Ｃは、無線装置Ｂとの間に構築された無線接続を切断する。また、無線装置Ｃと無線装置Ａとの間では、スイッチロールによる主従関係の反転が行われる（本実施例の特徴はこの点にある）。ただし、無線装置Ａから無線装置Ｂに対しての接続要求、無線装置Ｃと無線装置Ｂとの間に構築された無線接続の切断、および無線装置Ｃと無線装置Ａとの間でのスイッチロールの三者は、任意の順序で行われてもよい。
【００６８】
ステップ４；無線装置Ａは、無線装置Ｃとの間に構築された無線接続を切断する。かくして、無線装置Ａと無線装置Ｂとの間での無線接続が、完了する。
【００６９】
また、本発明の通知は、上述された本実施の形態では、デバイスアドレスを利用して行われたが、これに限らず、たとえばデバイスアドレス自体がすでにホストとなる無線装置に記憶されている場合などには、無線装置のニックネームなどの識別情報を利用して行われてもよい。
【００７０】
また、本発明の通知は、上述された本実施の形態では、無線接続を利用して行われたが、これに限らず、有線接続を利用して行われてもよい。
【００７１】
また、本発明のターゲットとなるべき無線装置のアドレス情報は、上述された本実施の形態では、電子機器３３の無線装置から電子機器３２の無線装置への無線接続を利用して入手された。しかし、本発明のターゲットとなるべき無線装置のアドレス情報は、これに限らず、たとえば、ＣＤ−ＲＯＭなどの利用によってあらかじめ入手されてもよい。
【００７２】
また、本発明の表示は、上述された本実施の形態では、デバイスアドレスを利用して行われたが、これに限らず、たとえばデバイスアドレス自体がすでにホストとなる無線装置に記憶されている場合などには、たとえば無線装置のユーザ名やシリアル番号などの識別情報を利用して行われてもよい。
【００７３】
以上のように本実施の形態によれば、無線装置を内蔵している電子機器において、入力デバイスおよび出力デバイスの質に関わらず、第３の電子機器を介在させることにより、ホストとなる電子機器が、ターゲットとなる電子機器を確実に特定し、無線接続を行うことができる。
【００７４】
（実施の形態３）
つぎに、本実施の形態３の無線装置の構成図である図５を参照しながら、本実施の形態の無線装置の構成について説明する。
【００７５】
本実施の形態の無線装置は、前述された本実施の形態１の無線装置と同様の構成を有しているが、ＨＣＩ１５のインタフェースによって他のデバイス５１が制御できる。
【００７６】
なお、他のデバイス５１を含む手段は、本発明に関連する発明の入・出力手段に対応する。
【００７７】
つぎに、互いに接続される前の電子機器６１、６２の関係を説明するための模式図である図６（ａ）、互いに接続された後の電子機器６１、６２の関係を説明するための模式図である図６（ｂ）を参照しながら、本実施の形態の無線装置を利用する電子機器６１、６２の動作について説明する。なお、電子機器６１、６２の動作について説明しながら、本発明に関連する発明の無線接続方法の一実施の形態についても説明する。
【００７８】
ここに、電子機器６１、６２は、それぞれ、無線ハードウェア１６（図５参照）を使わずに無線接続を行う相手をまず特定するための手段として、前述の他のデバイスの有する接続デバイス６３１、６３２を有する。なお、接続デバイスによる接続は、物理的な接点による電気信号のやりとりを利用するシリアルやＵＳＢ（Ｕｎｉｖｅｒｓａｌ  Ｓｅｒｉａｌ  Ｂｕｓ）などの有線接続、ＩｒＤＡ（Ｉｎｆｒａｒｅｄ  Ｄａｔａ  Ａｓｓｏｃｉａｔｉｏｎ）のような無線接続の何れでも構わないが、以下では、シリアル接続の場合を例にとって説明を行う。
【００７９】
さて、電子機器６１をホストとし、ターゲットを電子機器６２とする無線接続を行う場合、図６（ａ）に示すように離れていた電子機器６１と６２とを、図６（ｂ）に示すように、接続デバイス６３１、６３２を利用して、まず１対１接続させる。
【００８０】
これにより、ホストである電子機器６１は、電子機器６２をターゲットとして認識する。
【００８１】
さらに、ホストである電子機器６１は、ターゲットの電子機器６２から、無線接続に必要なデバイスアドレスなどの情報を、接続デバイス６３１、６３２を経由して取得し、前述の本実施の形態１において説明されたようなデータベース化手段（図示省略）によるデータベース化を行う。
【００８２】
もちろん、情報取得が完了した時点で、たとえばホスト側においてＬＥＤなどの出力デバイスを変化させたり、バイブレーションを発生させたりすれば、この接続を解除しても良いことを外部から認識することが可能になる。
【００８３】
その後、ホスト側のソフトウェア部は、デバイスアドレスを元にターゲットとなる電子機器に対して無線接続を行う。かくして、電子機器６１と電子機器６２との間で、相互にＢｌｕｅｔｏｏｔｈによる情報の送受信を行うことが可能となる。
【００８４】
ここで、本発明に関連する発明の実施の形態３における無線接続動作を説明するための説明図である図１０を参照して、ホストとなるべき無線装置Ａとスレーブとなるべき無線装置Ｂとの間に無線データリンクを構築する際の流れについてより分かりやすく説明すると、つぎのようになる。
【００８５】
ステップ１〜２；接続したいデバイス同士である無線装置Ａ、Ｂは、物理的に結合させられる。そして、ホストとなるべき無線装置Ａは、その結合を利用してスレーブとなるべき無線装置Ｂのアドレス情報やセキュリティ情報などを取得する（本実施の形態の特徴はこの点にある）。なお、情報取得が完了して結合を解除してもよくなったときに、無線装置Ａは、発光、音、振動などでその旨をユーザに通知してもよい。
【００８６】
ステップ３〜４；無線装置Ａは、取得した無線装置Ｂのアドレス情報などを利用して無線装置Ｂに対して接続要求し、無線接続のための同期（クロック）合わせを行う。かくして、無線装置Ａと無線装置Ｂとの間での無線接続が、完了する。
【００８７】
なお、前述の出力デバイスの変化は、要するに、有線または無線によるデバイスアドレスなどの情報の転送の進行状況を外部に表示するために、電子機器６１および／または電子機器６２の少なくとも一方の側で行われればよい。
【００８８】
また、本発明に関連する発明の無線接続を行う予定の相手の識別情報の入力および／または自らの識別情報の出力は、ＳＤカードなどの着脱自在なメモリを利用して行われてもよい。
【００８９】
本発明に関連する発明の、ＳＤカードを利用する無線接続動作を説明するための説明図である図１１を参照して、ＳＤカードを利用してホストとなるべき無線装置Ａとスレーブとなるべき無線装置Ｂとの間に無線データリンクを構築する際の流れについてより具体的に説明すると、つぎのようになる。
【００９０】
ステップ１〜２；スレーブとなるべき無線装置Ｂは、自らのアドレス情報やセキュリティ情報などを装着されたＳＤカードに書き込む。そして、ホストとなるべき無線装置Ａは、無線装置Ｂのアドレス情報やセキュリティ情報などを装着されたＳＤカードをユーザによって装着されると、そこから情報を読み出し、読み出し後にはＳＤカードのメモリをクリアする（本実施例の特徴はこの点にある）。
【００９１】
ステップ３〜４；無線装置Ａは、読み出した無線装置Ｂのアドレス情報などを利用して無線装置Ｂに対して接続要求し、無線接続のための同期（クロック）合わせを行う。かくして、無線装置Ａと無線装置Ｂとの間での無線接続が、完了する。
【００９２】
なお、前述したように読み出し後にメモリをクリアすることで、ＳＤカードに複数の無線機器に関する情報が書き込まれてしまうことを防止し、書き込み／読み出しの排他制御を行えるため、前述の情報取得は間違いなく行われる。また、ＳＤカードのようなリムーバブルメディアを利用することにより、無線装置の持ち運びが困難な場合などにも、二つの無線装置間に容易に無線接続を確立することができる。
【００９３】
以上においては、本実施の形態１〜３について詳細に説明を行った。
【００９４】
なお、本発明の無線接続は、上述された本実施の形態では、二つの無線装置の間で行われたが、これに限らず、二つ以上の無線装置の間で行われてもよい。
【００９５】
また、本発明の無線接続は、上述された本実施の形態では、Ｂｌｕｅｔｏｏｔｈを利用して行われたが、これに限らず、たとえば８０２．１１ｂなどの低電力高周波を用いた短距離無線接続を利用して行われてもよい。また、本発明の無線接続は、たとえば、ホストとターゲットとの間での双方向の通信を行うことができる無線接続であってもよい。
【００９６】
また、本発明に関連する発明の状態変化コマンドは、上述された本実施の形態１では、Ｂｌｕｅｔｏｏｔｈ規格に新たなコマンドを拡張実装して実現されたが、これに限らず、たとえば相手デバイスの機器名を得るための既存コマンドであるＲｅｍｏｔｅ＿ｎａｍｅ＿Ｒｅｑｕｅｓｔなどを利用して実現されてもよい。
【００９７】
なお、発明は、上述した本発明の無線システム、および無線装置の全部または一部の手段（または、装置）の機能をコンピュータにより実行させるためのプログラムであって、コンピュータと協働して動作するプログラムである。もちろん、コンピュータは、ＣＰＵなどの純然たるハードウェアに限らず、ファームウェアやＯＳ、さらに周辺機器を含むものであっても良い。
【００９８】
また、本発明は、上述した本発明の無線接続方法の全部または一部のステップの動作をコンピュータにより実行させるためのプログラムであって、コンピュータと協働して動作するプログラムである。
【００９９】
なお、本発明の一部の手段（または、装置）、本発明の一部のステップは、それらの複数の手段またはステップの内の幾つかの手段またはステップを意味する、あるいは一つの手段またはステップの内の一部の機能または一部の動作を意味するものである。
【０１００】
また、本発明の一部の装置は、それら複数の装置の内の幾つかの装置を意味する、あるいは一つの装置の内の一部の手段を意味する、あるいは一つの手段の内の一部の機能を意味するものである。
【０１０１】
また、本発明のプログラムを記録した、コンピュータに読みとり可能な記録媒体も本発明に含まれる。また、本発明のプログラムの一利用形態は、コンピュータにより読み取り可能な記録媒体に記録され、コンピュータと協働して動作する態様であっても良い。また、本発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【０１０２】
なお、本発明の構成は、ソフトウェア的に実現しても良いし、ハードウェア的に実現しても良い。
【０１０３】
また、発明は、上述した本発明の無線システム、および無線装置の全部または一部の手段の全部または一部の機能をコンピュータにより実行させるためのプログラムを担持した媒体であり、コンピュータにより読み取り可能かつ読み取られた前記プログラムが前記コンピュータと協働して前記機能を実行する媒体である。
【０１０４】
また、本発明は、上述した本発明の無線接続方法の全部または一部のステップの全部または一部の動作をコンピュータにより実行させるためのプログラムを担持した媒体であり、コンピュータにより読み取り可能かつ読み取られた前記プログラムが前記コンピュータと協働して前記動作を実行する媒体である。
【０１０５】
以上のように、本発明によれば、無線装置を内蔵した電子機器において、小型化により入力および出力デバイスが簡素なものであっても、ホストとなる電子機器が、ターゲットとなる電子機器を確実に確認し、迅速に無線接続を行うことができる。
【産業上の利用可能性】
【０１０６】
本発明は、電子機器間における無線接続を簡潔かつ確実に行うことができる効果を有し、接続ケーブルに代わる低電力高周波による無線接続を行うための無線システム、無線装置、無線接続方法、プログラム、および記録媒体等に有用である。
【図面の簡単な説明】
【０１０７】
【図１】本発明に関連する発明の実施の形態１における無線装置の構成図
【図２】ソフトウェア部１４の無線接続動作を説明するための模式図
【図３】本発明の実施の形態２における無線接続動作を説明するための模式図
【図４】本発明の、スイッチロールを利用する無線接続動作を説明するための模式図
【図５】本発明に関連する発明の実施の形態３における無線装置の構成図
【図６】（ａ）：互いに接続される前の電子機器６１、６２の関係を説明するための模式図  （ｂ）：互いに接続された後の電子機器６１、６２の関係を説明するための模式図
【図７】本発明に関連する発明の実施の形態１における無線接続動作を説明するための説明図
【図８】本発明の実施の形態２における無線接続動作を説明するための説明図
【図９】本発明の、スイッチロールを利用する無線接続動作を説明するための説明図
【図１０】本発明に関連する発明の実施の形態３における無線接続動作を説明するための説明図
【図１１】本発明に関連する発明の、ＳＤカードを利用する無線接続動作を説明するための説明図
【符号の説明】
【０１０８】
１１  入力デバイス
１２  出力デバイス
１３  マン＝マシンインタフェース
１４  ソフトウェア部
１５  ハードウェア制御インタフェース
１６  無線ハードウェア部
２１  入力デバイスからの信号
２２  アドレス選択手段
２３  アドレスデータベース
２４  無線ハードウェア部に対する信号
３１、３２、３３、６１、６２  無線装置を内蔵した電子機器
５１  他のデバイス
６３１、６３２  物理的接点を持つデバイス
【図１】
2006230010.tif 000003
【図２】
2006230010.tif 000004
【図３】
2006230010.tif 000005
【図４】
2006230010.tif 000006
【図５】
2006230010.tif 000007
【図６】
2006230010.tif 000008
【図７】
2006230010.tif 000009
【図８】
2006230010.tif 000010
【図９】
2006230010.tif 000011
【図１０】
2006230010.tif 000012
【図１１】
2006230010.tif 000013